(57)【要約】【課題】引き戸の駆動能力不足に対して、余計な設置スペースを要することなく対応することができるエレベーターのドアー装置を得る。【解決手段】出入口１を開閉する引き戸３を設け、また出入口１の上縁に水平方向に互いに離れて巻掛車７を枢着して無端状の伝動条体８を巻掛ける。そして、伝動条体８と引き戸３を連結具９，１０によって連結し、巻掛車７のそれぞれを電動機１３，１４によって駆動する。これにより、伝動条体８を介して複数台の電動機１３，１４によって引き戸３を駆動する。このため、引き戸３の仕様によって生じる電動機の駆動能力不足を解消でき、しかも電動機の大形化を伴わず対応できる。したがって、かごの基本的構成に影響せず余計な費用なしに安価に引き戸の多様な仕様を実現する。【選択図】　　　　図１
2004075314.tif 000002
【特許請求の範囲】
【請求項１】
出入口を開閉する引き戸と、上記出入口の上縁部に水平方向に互いに離れて枢着された巻掛車と、無端状をなし上記巻掛車の双方に巻掛けられて張設された伝動条体と、一端が上記引き戸に他端は伝動条体の一側に連結された連結具と、上記巻掛車のそれぞれに配置されて対応した上記巻掛車を駆動する電動機とを備えたエレベーターのドアー装置。
【請求項２】
電動機を、それぞれの引き戸に対応して設けられた第一伝動機構及び第二伝動機構の伝動条体が巻掛けられた巻掛車をそれぞれ駆動するものとしたことを特徴とする請求項１記載のエレベーターのドアー装置。
【発明の詳細な説明】
【０００１】
【発明の属する技術分野】
この発明は、主としてかごに設けられた出入口を開閉するエレベーターのドアー装置に関する。
【０００２】
【従来の技術】
図３及び図４は、例えば特開２０００−２２６０５８号公報に示された構成に類似した従来のエレベーターのドアー装置を示す図で、図３は正面図、図４は図３の縦断側面図である。図において、１はエレベーターのかご２に設けられた出入口、３は出入口１を開閉する引き戸で、上端に吊り手４が設けられている。
【０００３】
５は出入口１の上縁部に設けられて長手が水平方向に配置された桁、６は案内レールで、桁５に設けられて長手が水平方向に配置され吊り手４の水平移動、すなわち引き戸３の開閉移動を案内する。７は桁５に互いに離れて枢着された巻掛車、８は伝動条体で、無端状をなし巻掛車７の双方に巻掛けられて張設されている。
【０００４】
９は一端が一方の引き戸３に他端は伝動条体８の一側に連結された第一連結具、１０は一端が他方の引き戸３に他端は伝動条体８の他側に連結された第二連結具、１１は一方の巻掛車７を駆動する電動機、１２は桁５よりも上方に突出して配置されたかご２の天井である。
【０００５】
従来のエレベーターのドアー装置は上記のように構成され、電動機１１が付勢されると対応した巻掛車７が回転して伝動条体８が駆動される。そして、両側の引き戸３が第一連結具９又は第二連結具１０によって伝動条体８に連結されているので、伝動条体８の移動によって互いに反対方向に動作して出入口１を開閉するようになっている。
【０００６】
【発明が解決しようとする課題】
上記のような従来のエレベーターのドアー装置では、引き戸３の仕様によって、例えばガラス窓付きであって質量が大きかったり、また高速開閉動作が指定されたりした場合に、電動機１１の駆動能力が不足するという問題点があった。なお、電動機１１の駆動能力不足対策として大形の電動機を設置することが考えられるが、このような対策は実際のかご２において電動機の設置スペースの制約があって実施できないことが多い。
【０００７】
この発明は、かかる問題点を解消するためになされたものであり、引き戸の駆動能力不足に対して、余計な設置スペースを要することなく対応することができるエレベーターのドアー装置を得ることを目的とする。
【０００８】
【課題を解決するための手段】
この発明に係るエレベーターのドアー装置においては、出入口を開閉する引き戸と、出入口の上縁部に水平方向に互いに離れて枢着された巻掛車と、無端状をなし巻掛車の双方に巻掛けられて張設された伝動条体と、一端が引き戸に他端は伝動条体の一側に連結された連結具と、巻掛車のそれぞれに配置されて対応した巻掛車を駆動する電動機とが設けられる。
【０００９】
また、この発明に係るエレベーターのドアー装置においては、それぞれの引き戸に対応して設けられた第一伝動機構及び第二伝動機構の伝動条体が巻掛けられた巻掛車をそれぞれ駆動する電動機が設けられる。
【００１０】
【発明の実施の形態】
実施の形態１．
図１は、この発明の実施の形態の一例を示す正面図である。なお、図１の他は前述の図３及び図４のエレベーターのドアー装置と同様にエレベーターのドアー装置が構成されている。図において、１はエレベーターのかご２に設けられた出入口、３は出入口１を開閉する引き戸で、上端に吊り手４が設けられている。
【００１１】
５は出入口１の上縁部に設けられて長手が水平方向に配置された桁、６は案内レールで、桁５に設けられて長手が水平方向に配置され吊り手４の水平移動、すなわち引き戸３の開閉移動を案内する。７は桁５に互いに離れて枢着された巻掛車、８は伝動条体で、無端状をなし巻掛車７の双方に巻掛けられて張設されている。
【００１２】
９は一端が一方の引き戸３に他端は伝動条体８の一側に連結された第一連結具、１０は一端が他方の引き戸３に他端は伝動条体８の他側に連結された第二連結具、１３は一方の巻掛車７を駆動する第一電動機、１４は他方の巻掛車７を駆動する第二電動機、１２は桁５よりも上方に突出して配置されたかご２の天井である。
【００１３】
上記のように構成されたエレベーターのドアー装置において、第一電動機１３及び第二電動機１４が付勢されると対応した巻掛車７が回転して伝動条体８が駆動される。そして、両側の引き戸３が第一連結具９又は第二連結具１０によって伝動条体８に連結されているので、伝動条体８の移動によって互いに反対方向に動作して出入口１を開閉する。
【００１４】
このように伝動条体８が第一電動機１３及び第二電動機１４の複数台の電動機によって駆動される。このため、引き戸３の仕様によって、例えばガラス窓付きであって質量が大きかったり、また高速開閉動作が指定されたりした場合に、電動機の駆動能力不足を解消することができる。
【００１５】
しかも、電動機の大形化を伴うことなく電動機の駆動能力を増すことができるので、かご２において電動機設置スペースの制約を受けにくく引き戸３の仕様の多様化に容易に対応することができる。したがって、かご２の基本的構成に影響することなしに余計な費用を要することなく、安価に引き戸３の多様な仕様を実現することができる。
【００１６】
実施の形態２．
図２は、この発明の他の実施の形態の一例を示す正面図である。なお、図２の他は前述の図３及び図４のエレベーターのドアー装置と同様にエレベーターのドアー装置が構成されている。図において、前述の図１と同符号は相当部分を示し、１５は他方の引き戸３の上方に設けられた第一伝動機構で、桁５に互いに離れて枢着された巻掛車１６、無端状をなし巻掛車１６の双方に巻掛けられて張設された伝動条体１７によって構成されている。
【００１７】
１３は第一伝動機構１５の一方の巻掛車１６を駆動する第一電動機、１８は一方の引き戸３の上方に設けられた第二伝動機構で、桁５に互いに離れて枢着された巻掛車１９、無端状をなし巻掛車１９の双方に巻掛けられて張設された伝動条体２０によって構成されている。１４は第二伝動機構１８の一方の巻掛車１９を駆動する第二電動機である。
【００１８】
上記のように構成されたエレベーターのドアー装置においても、両側の引き戸３のそれぞれに対応して第一伝動機構１５、第二伝動機構１８が設けられ、第一伝動機構１５、第二伝動機構１８のそれぞれに第一電動機１３、第二電動機１４が設けられる。このような構成によって、両側の引き戸３が第一電動機１３及び第二電動機１４の複数台の電動機によって駆動される。したがって、詳細な説明を省略するが図２の実施の形態においても図１の実施の形態と同様な作用が得られる。
【００１９】
【発明の効果】
この発明は以上説明したように、出入口を開閉する引き戸と、出入口の上縁部に水平方向に互いに離れて枢着された巻掛車と、無端状をなし巻掛車の双方に巻掛けられて張設された伝動条体と、一端が引き戸に他端は伝動条体の一側に連結された連結具と、巻掛車のそれぞれに配置されて対応した巻掛車を駆動する電動機とを設けたものである。
【００２０】
これによって、引き戸が伝動条体を介して複数台の電動機によって駆動される。このため、引き戸の仕様によって、電動機の駆動能力不足を解消することができる。しかも、電動機の大形化を伴うことなく電動機の駆動能力を増すことができ、かごにおいて電動機設置スペースの制約を受けにくく引き戸の仕様の多様化に容易に対応することができる。したがって、かごの基本的構成に影響することなしに余計な費用を要することなく、安価に引き戸の多様な仕様を実現する効果がある。
【００２１】
また、この発明は以上説明したように、それぞれの引き戸に対応して設けられた第一伝動機構及び第二伝動機構の伝動条体が巻掛けられた巻掛車をそれぞれ駆動する電動機を設けたものである。
【００２２】
これによって、引き戸がそれぞれに設けられた伝動機構の伝動条体を介して複数台の電動機によって駆動される。このため、引き戸の仕様によって、電動機の駆動能力不足を解消することができる。しかも、電動機の大形化を伴うことなく電動機の駆動能力を増すことができ、かごにおいて電動機設置スペースの制約を受けにくく、引き戸の仕様の多様化に容易に対応することができる。したがって、かごの基本的構成に影響することなしに余計な費用を要することなく安価に引き戸の多様な仕様を実現する効果がある。
【図面の簡単な説明】
【図１】この発明の実施の形態１を示す正面図。
【図２】この発明の実施の形態２を示す正面図。
【図３】従来のエレベーターのドアー装置を示す正面図。
【図４】図３の縦断側面図。
【符号の説明】
１　出入口、　　３　引き戸、　　７　巻掛車、　　８　伝動条体、　　９　連結具、　　１０　連結具、　　１３　第一電動機（電動機）、　　１４　第二電動機（電動機）、　　１５　第一伝動機構、　　１６　巻掛車、　　１７　伝動条体、　　１８　第二伝動機構、　　１９　巻掛車、　　２０　伝動条体。
【図１】
2004075314.tif 000003
【図２】
2004075314.tif 000004
【図３】
2004075314.tif 000005
【図４】
2004075314.tif 000006